(57)【特許請求の範囲】
【請求項１】
地域に応じて再生を制限する媒体地域コードが記録された情報記録媒体に対するデータ再生装置によるデータの再生を許可又は禁止させるデータ再生規制方法であって、
前記データ再生装置に装填された前記情報記録媒体に記録されている前記媒体地域コードを再生する媒体コード再生処理と、
位置検出手段により前記データ再生装置が存在する位置を検出する処理と、所定時間が経過する毎に前記位置を検出する更新処理とを含む位置検出処理と、
この位置検出処理により検出された前記データ再生装置の位置に対応する装置地域コードを設定する処理と、前記所定時間毎に検出される前記位置に対応する前記装置地域コードを不揮発性メモリに保持させる更新処理とを含む装置コード設定処理と、
この装置コード設定処理により設定された前記装置地域コードと前記媒体コード再生処理により再生された前記媒体地域コードとを照合比較する比較処理と、
この比較処理による照合比較の結果に応じて前記データ再生装置による前記情報記録媒体のデータの再生を許可するか禁止させるかを決定する許否決定処理と、
この許否決定処理による決定の結果に応じて前記データ再生装置の再生動作を制御する再生動作制御処理と、
前記データ再生装置の振動を検出する振動検出処理と、を含み、
前記位置検出処理は、前記振動検出処理により前記データ再生装置の振動が検出された場合に前記データ再生装置が存在する位置を検出し直す処理を、さらに含み、
前記装置コード設定処理は、検出し直された位置に対応する装置地域コードを前記不揮発性メモリに設定し直す処理を、さらに含むこと、
を特徴とするデータ再生規制方法。
【請求項２】
前記位置検出処理は、ＧＰＳ（Global Positioning System）のＧＰＳ受信機の受信情報に基づき前記データ再生装置の地球上での存在位置を検出する処理である請求項１記載のデータ再生規制方法。
【請求項３】
前記位置検出処理と前記装置コード設定処理とを、前記データ再生装置の電源が投入された際に行わせ、前記データ再生装置への通電中は設定された前記装置地域コードを保持させるようにした請求項１又は２記載のデータ再生規制方法。
【請求項４】
地域に応じて再生を制限する媒体地域コードが記録された情報記録媒体に対するデータの再生を許可又は禁止させるデータ再生装置であって、
装填された前記情報記録媒体に記録されている前記媒体地域コードを再生する媒体コード再生手段と、
不揮発性メモリと、
当該データ再生装置が存在する位置を検出する手段と、所定時間が経過する毎に前記位置を検出する位置更新処理手段とを備える位置検出手段と、
この位置検出手段により検出された位置に対応する装置地域コードを設定する手段と、前記所定時間毎に検出される前記位置に対応する前記装置地域コードを前記不揮発性メモリに保持させるコード更新処理手段とを備える装置コード設定手段と、
この装置コード設定手段により設定された前記装置地域コードと前記媒体コード再生手段により再生された前記媒体地域コードとを照合比較する比較手段と、
この比較手段による照合比較の結果に応じて前記情報記録媒体のデータの再生を許可するか禁止させるかを決定する許否決定手段と、
この許否決定手段による決定の結果に応じて再生動作を制御する再生動作制御手段と、
当該データ再生装置の振動を検出する振動検出手段と、を備え、
前記位置検出手段は、前記振動検出手段により当該データ再生装置の振動が検出された場合に当該データ再生装置が存在する位置を検出し直す再検出処理手段を、さらに備え、
前記装置コード設定手段は、検出し直された位置に対応する装置地域コードを前記不揮発性メモリに設定し直すコード再設定処理手段を、さらに備えること、
を特徴とするデータ再生装置。
【請求項５】
前記位置検出手段は、ＧＰＳ（Global Positioning System）のＧＰＳ受信機の受信情報に基づき当該データ再生装置の地球上での存在位置を検出する請求項４記載のデータ再生装置。
【請求項６】
前記位置検出手段による検出処理と前記装置コード設定手段による設定処理とを、当該データ再生装置の電源が投入された際に行わせ、前記装置コード設定手段により設定された前記装置地域コードを当該データ再生装置への通電中は保持する保持手段を備える請求項４又は５記載のデータ再生装置。
【発明の詳細な説明】
【０００１】
【発明の属する技術分野】
本発明は、データ再生規制方法及びデータ再生装置に関する。
【０００２】
【従来の技術】
情報記録媒体の中にはその再生を制限するために特殊なコードが記録されているものがある。例えば、情報記録媒体として映画等の再生情報が記録されているＤＶＤを例に挙げると、その映画に関する映画館での上映とＤＶＤ化しての販売に関して地域（例えば、アメリカと日本）によってその時期がずれるため、上映に先行してＤＶＤが再生されることがないようにさせる等の理由から、ＤＶＤには地域に応じて再生を制限するためのリージョンコード（地域コード）が記録されている。
【０００３】
リージョンコードとは、例えば、特開平１１−１１０９１４号公報に記載されているように、ＤＶＤとＤＶＤ再生装置とが各々保持しているコードで、世界を６つの地域に分け、ＤＶＤがその地域で再生可能か禁止すべきかを判定するために使用される。基本的には、ＤＶＤが保持しているリージョンコード（媒体リージョンコード）とＤＶＤ再生装置が保持しているリージョンコード（装置リージョンコード）とが一致すれば再生が許可され、一致しなければ再生が禁止される。
【０００４】
そのため、リージョンコードは予めＤＶＤ再生装置に設定しておく必要がある。通常は、メーカによる出荷段階でその出荷先（地域）に応じてＤＶＤ再生装置に対応するリージョンコードを設定しておくようにしている（例えば、特開平１１−１４３６４２号公報による制御コード初期化装置参照）。
【０００５】
例えば、アメリカ、カナダに関しては１、日本、ヨーロッパに関しては２、アジアに関しては３、オーストラリア、中南米に関しては４、旧ソ連に関しては５、中国に関しては６なるリージョンコードが割り当てられる。この結果、例えばアメリカで購入したリージョンコード１のＤＶＤを日本に持ち帰り日本向けのＤＶＤ再生装置（リージョンコード２）で再生しようとしてもその再生が禁止されることとなる。
【０００６】
【発明が解決しようとする課題】
しかし、リージョンコードさえ一致すれば、ＤＶＤ再生装置の設置地域に関係なくＤＶＤの再生が可能である。従って、ＤＶＤ再生装置を設定されているリージョンコードとは別の地域に設置すれば、本来その地域では再生できないはずのＤＶＤの再生が可能になってしまう。上例で説明すれば、仮にアメリカ向けのＤＶＤ再生装置（リージョンコード１）を日本へ持ち帰れば、本来は日本では再生できないはずのアメリカで購入したリージョンコード１のＤＶＤの再生が可能となってしまう。逆にいえば、日本向けのＤＶＤ再生装置（リージョンコード２）をアメリカに持ち込んでも、本来はアメリカでは再生できるはずのアメリカで購入したリージョンコード１のＤＶＤの再生が不可能となってしまう。つまり、リージョンコードによる再生規制を厳密に行えない不具合がある。
【０００７】
本発明は、地域コードによる再生制限を厳密に行うことができるデータ再生規制方法及びデータ再生装置を提供することを目的とする。
【０００８】
【課題を解決するための手段】
請求項１記載の発明は、地域に応じて再生を制限する媒体地域コードが記録された情報記録媒体に対するデータ再生装置によるデータの再生を許可又は禁止させるデータ再生規制方法であって、前記データ再生装置に装填された前記情報記録媒体に記録されている前記媒体地域コードを再生する媒体コード再生処理と、位置検出手段により前記データ再生装置が存在する位置を検出する処理と、所定時間が経過する毎に前記位置を検出する更新処理とを含む位置検出処理と、この位置検出処理により検出された前記データ再生装置の位置に対応する装置地域コードを設定する処理と、前記所定時間毎に検出される前記位置に対応する前記装置地域コードを不揮発性メモリに保持させる更新処理とを含む装置コード設定処理と、この装置コード設定処理により設定された前記装置地域コードと前記媒体コード再生処理により再生された前記媒体地域コードとを照合比較する比較処理と、この比較処理による照合比較の結果に応じて前記データ再生装置による前記情報記録媒体のデータの再生を許可するか禁止させるかを決定する許否決定処理と、この許否決定処理による決定の結果に応じて前記データ再生装置の再生動作を制御する再生動作制御処理と、前記データ再生装置の振動を検出する振動検出処理と、を含み、前記位置検出処理は、前記振動検出処理により前記データ再生装置の振動が検出された場合に前記データ再生装置が存在する位置を検出し直す処理を、さらに含み、前記装置コード設定処理は、検出し直された位置に対応する装置地域コードを前記不揮発性メモリに設定し直す処理を、さらに含むこと、を特徴とする。
【０００９】
地域コードは情報記録媒体の再生に関して地域的制限を加えるためのもので、データ再生装置自体が問題ではなく、再生しようとしているデータ再生装置が設置されている位置（地域）が問題である。そこで、データ再生装置自身には装置地域コードを予め設定しておかず、位置検出手段によりデータ再生装置が現実に存在する位置を検出してその位置に対応する装置地域コードを設定することで、再生しようとしているデータ再生装置に関する装置地域コードの設定が適正となり、地域コードによる再生制限を厳密に行わせることができる。同時に、データ再生装置の製造時に地域毎或いは出荷先毎に装置地域コードを設定する必要がなくなり、何れの地域に対しても適用可能となる。また、所定時間の間は設定された装置地域コードが保持されているので、電源投入毎にデータ再生装置の位置検出を行わせる必要がなくなる。また、所定時間に亘って装置地域コードを不揮発性メモリに保持させた場合において、その所定時間内にデータ再生装置を異なる装置地域コードの地域に移動させたときにはその存在位置と設定されている装置地域コードとが一致しなくなるが、データ再生装置の移動に際しては振動が伴うことからこの振動を検出した場合にはデータ再生装置に移動があったものと見做してその位置検出、装置地域コードの設定をし直すことで、データ再生装置の移動があっても正しい装置地域コードを設定でき、地域コードによる再生制限の厳密性を維持できる。
【００１０】
請求項２記載の発明は、請求項１記載のデータ再生規制方法において、前記位置検出処理は、ＧＰＳ（Ｇlobal Ｐositioning Ｓystem）のＧＰＳ受信機の受信情報に基づき前記データ再生装置の地球上での存在位置を検出する処理である。
【００１１】
従って、ＧＰＳを利用することによりデータ再生装置の位置を正確に検出することができ、装置地域コードの設定精度が向上する。
【００１２】
請求項３記載の発明は、請求項１又は２記載のデータ再生規制方法において、前記位置検出処理と前記装置コード設定処理とを、前記データ再生装置の電源が投入された際に行わせ、前記データ再生装置への通電中は設定された前記装置地域コードを保持させるようにした。
【００１３】
従って、データ再生装置の電源が投入されその通電中は設定された装置地域コードが保持されているので、再生しようとする情報記録媒体を交換したり、再生動作を行う度に、データ再生装置の位置検出を行わせる必要がなくなる。
【００１８】
請求項４記載の発明は、地域に応じて再生を制限する媒体地域コードが記録された情報記録媒体に対するデータの再生を許可又は禁止させるデータ再生装置であって、装填された前記情報記録媒体に記録されている前記媒体地域コードを再生する媒体コード再生手段と、不揮発性メモリと、当該データ再生装置が存在する位置を検出する手段と、所定時間が経過する毎に前記位置を検出する位置更新処理手段とを備える位置検出手段と、この位置検出手段により検出された位置に対応する装置地域コードを設定する手段と、前記所定時間毎に検出される前記位置に対応する前記装置地域コードを前記不揮発性メモリに保持させるコード更新処理手段とを備える装置コード設定手段と、この装置コード設定手段により設定された前記装置地域コードと前記媒体コード再生手段により再生された前記媒体地域コードとを照合比較する比較手段と、この比較手段による照合比較の結果に応じて前記情報記録媒体のデータの再生を許可するか禁止させるかを決定する許否決定手段と、この許否決定手段による決定の結果に応じて再生動作を制御する再生動作制御手段と、当該データ再生装置の振動を検出する振動検出手段と、を備え、前記位置検出手段は、前記振動検出手段により当該データ再生装置の振動が検出された場合に当該データ再生装置が存在する位置を検出し直す再検出処理手段を、さらに備え、前記装置コード設定手段は、検出し直された位置に対応する装置地域コードを前記不揮発性メモリに設定し直すコード再設定処理手段を、さらに備えること、を特徴とする。
【００１９】
地域コードは情報記録媒体の再生に関して地域的制限を加えるためのもので、データ再生装置自体が問題ではなく、再生しようとしているデータ再生装置が設置されている位置（地域）が問題である。そこで、データ再生装置自身には装置地域コードを予め設定しておかず、位置検出手段により当該データ再生装置が現実に存在する位置を検出してその位置に対応する装置地域コードを設定することで、再生しようとしているデータ再生装置に関する装置地域コードの設定が適正となり、地域コードによる再生制限を厳密に行わせることができる。同時に、データ再生装置自体の製造時に地域毎或いは出荷先毎に装置地域コードを設定する必要がなくなり、何れの地域に対しても適用可能となる。また、所定時間の間は設定された装置地域コードが保持されているので、電源投入毎にデータ再生装置の位置検出を行わせる必要がなくなる。また、所定時間に亘って装置地域コードを不揮発性メモリに保持させた場合において、その所定時間内にデータ再生装置を異なる装置地域コードの地域に移動させたときにはその存在位置と設定されている装置地域コードとが一致しなくなるが、データ再生装置の移動に際しては振動が伴うことからこの振動を検出した場合にはデータ再生装置に移動があったものと見做してその位置検出、装置地域コードの設定をし直すことで、データ再生装置の移動があっても正しい装置地域コードを設定でき、地域コードによる再生制限の厳密性を維持できる。
【００２０】
請求項５記載の発明は、請求項４記載のデータ再生装置において、前記位置検出手段は、ＧＰＳ（Global Positioning System）のＧＰＳ受信機の受信情報に基づき当該データ再生装置の地球上での存在位置を検出する。
【００２１】
従って、ＧＰＳを利用することによりデータ再生装置の位置を正確に検出することができ、装置地域コードの設定精度が向上する。
【００２２】
請求項６記載の発明は、請求項４又は５記載のデータ再生装置において、前記位置検出手段による検出処理と前記装置コード設定手段による設定処理とを、当該データ再生装置の電源が投入された際に行わせ、前記装置コード設定手段により設定された前記装置地域コードを当該データ再生装置への通電中は保持する保持手段を備える。
【００２３】
従って、データ再生装置の電源が投入されその通電中は設定された装置地域コードが保持手段により保持されているので、再生しようとする情報記録媒体を交換したり、再生動作を行う度に、データ再生装置の位置検出を行わせる必要がなくなる。
【００２８】
【発明の実施の形態】
本発明の第一の実施の形態を図１及び図２に基づいて説明する。本実施の形態のデータ再生装置は、例えば、ＤＶＤ再生装置なる情報再生装置に適用されている。
【００２９】
図１は情報再生装置１の概略構成を示すブロック図である。レーザ光源や受光素子や対物レンズ等を含み情報記録媒体２に記録されている情報の再生を行う光ピックアップや情報記録媒体２を回転駆動させるスピンドルモータ等の回転駆動系等は周知構成のものを用い得るため、読み込み制御部３として簡略化して示す。この読み込み制御部３は情報再生装置１の全ての制御を行うＣＰＵ等を含むマイクロコンピュータ構成の装置制御部４に接続されている。この装置制御部４にはメモリ５が接続されている他、設置位置検出部６が接続されている。本実施の形態では、設置位置検出部６としてＧＰＳ（Ｇlobal Ｐositioning Ｓystem）７のＧＰＳ受信機が用いられている。ＧＰＳ７は周知のように地球の周回軌道上を回る多数の衛星８から発信される情報をＧＰＳ受信機により受信することにより、このＧＰＳ受信機（従って、情報再生装置１）と衛星８との位置関係を測定することにより、ＧＰＳ受信機（従って、情報再生装置１）の地球上での存在位置（緯度及び経度）を計算するシステムである。
【００３０】
なお、情報記録媒体２には本来のデータの他に、地域に応じて再生を制限する媒体地域コードが記録されているものとする。ＤＶＤの場合には、前述したように世界を６つの地域に分けて再生を許可する地域に応じて記録された媒体リージョンコードが相当する。なお、後述する装置地域コードとこの媒体地域コードとは、地域コードとしては同一の内容を意味するが、記録或いは設定される対象が媒体であるか装置であるかにより区別するために名称を異ならせているに過ぎない。また、メモリ５（ＲＯＭ部分）には各地域毎の地域コード一覧がテーブル形式等により予め格納されている。
【００３１】
また、後述する各処理処理及び各手段の機能は、マイクロコンピュータ構成の装置制御部４により図２に概略的に示すフローチャートの如く実行される。図２に示すフローチャートを参照して情報再生装置１による情報記録媒体２の再生動作の制御について説明する。
【００３２】
まず、情報再生装置１に装填された情報記録媒体２に対する再生動作が指示された場合、ＧＰＳ７を利用してＧＰＳ受信機（設置位置検出部６）の受信情報を取り込むことにより、当該情報再生装置１が設置されている位置（地球上での存在位置）を検出する（ステップＳ１）。このステップＳ１の処理が位置検出処理又は位置検出手段の機能として実行される。
【００３３】
当該情報再生装置１の設置位置が検出されると、その設置位置からメモリ５中の地域コード一覧テーブル等を参照して、当該情報再生装置１が設置されている地域を特定する（Ｓ２）。そして、特定された地域に相当する装置地域コードを当該情報再生装置１に対して設定する（Ｓ３）。これらのステップＳ２及びＳ３の処理が装置コード設定処理又は装置コード設定手段の機能として実行される。即ち、本実施の形態では、当該情報再生装置１に対して装置地域コードは予め設定されてはいない。
【００３４】
さらに、これらの処理と前後して、情報記録媒体２の媒体地域コードの記録領域について読み込み制御部３に再生動作を行わせることにより、当該情報再生装置１に装填されこれから再生しようとする情報記録媒体２に記録されている媒体地域コードを再生する（Ｓ４）。このステップＳ４の処理が媒体コード再生処理又は媒体コード再生手段の機能として実行される。
【００３５】
その後、設定された装置地域コードと再生された媒体地域コードとが一致するか否かを照合比較する（Ｓ５）。ステップＳ５による比較の結果、即ち、地域コード同士が一致するか否かに応じて、その情報記録媒体２に対する再生を許可するか禁止させるかを決定する（Ｓ６）。一致する場合には（Ｓ６のＹ）、その情報記録媒体２について再生が許可されている地域に設置されている情報再生装置１であるので、その再生を許可し読み込み制御部３による再生動作を開始させる（Ｓ７）。一方、一致しない場合には（Ｓ６のＮ）、その情報記録媒体２について再生が許可されていない地域に設置されている情報再生装置１であるので、その再生を禁止させるため、その旨のエラーメッセージを表示させる（Ｓ８）。ここに、ステップＳ５の処理が比較処理又は比較手段の機能として実行され、ステップＳ６の処理が許否決定処理又は許否決定手段の機能として実行され、さらに、ステップＳ７，Ｓ８の処理が再生動作制御処理又は再生動作制御手段の機能として実行される。なお、ステップＳ８による再生を禁止させる処理は、全く再生動作を行わせない形態に限らず、例えば、再生自体は可能とするがその再生情報にスクランブルをかけて元の状態では再現されないような処理形態としてもよい。
【００３６】
このように、本実施の形態によれば、情報再生装置１自身には装置地域コードを予め設定しておかず、この情報再生装置１が現実に存在する位置を検出してその位置に対応する装置地域コードを設定するので、再生しようとしている情報再生装置１に関する装置地域コードの設定が適正となり、地域コードによる再生制限を厳密に行わせることができる。同時に、情報再生装置１の製造時に地域毎或いは出荷先毎に装置地域コードを設定する必要がなくなり、何れの地域に対しても適用可能となる。また、ＧＰＳ７を利用することにより情報再生装置１の存在位置を正確に検出することができ、装置地域コードの設定精度が向上する。
【００３７】
なお、本実施の形態では、情報再生装置１が単体構成でＧＰＳ受信機（設置位置検出部６）が実装されている形態として説明したが、情報再生装置１が携帯型のＰＣ等の情報処理装置９に組み込まれているデータ再生システム構成のような場合には（ノートパソコン等において既に市販品がある）、図３に示すように情報処理装置９に組み込まれているＧＰＳ受信機（設置位置検出部１０）を利用することで、情報再生装置１自身が必ずしもＧＰＳ受信機（設置位置検出部６）を備えていなくてもよい。また、情報再生装置１がＰＣ等の情報処理装置に組み込まれており、その情報処理装置がインタネットに接続されている場合にはインタネット上で割り当てられたアドレス情報を用いることで地球上での設置位置を検出するようにしてもよい。
【００３８】
本発明の第二の実施の形態を図４に基づいて説明する。第一の実施の形態で示した部分と同一部分は同一符号を用いて示し、説明も省略する（以降の各実施の形態でも順次同様とする）。
【００３９】
本実施の形態では、まず、再生動作が指示された場合、当該情報再生装置１に装置地域コードが既に設定されているか否かを確認する（Ｓ１１）。電源投入後の最初の再生動作時であれば（電源が投入された際に相当する）、装置地域コードがまだ設定されていないので（Ｓ１２のＮ）、当該情報再生装置１の設置位置の情報を取得し、対応する地域の装置地域コードを設定する（Ｓ１３）。これにより、装置地域コードは電源が投入された際に設定されることとなる。このステップ１３の処理内容自体は、前述した図２のステップＳ１〜Ｓ３の処理に相当する。この後の処理は、図２で説明した場合と同様である。
【００４０】
一方、電源投入後であって、電源が切られる前における２回目以降の再生動作時であれば、装置地域コードが既に設定されているので（Ｓ１２のＹ）、装置地域コードの設定処理を経ることなく、そのまま、ステップＳ４以降の処理に移行する。即ち、情報再生装置１の通電中は最初に設定された装置地域コードが保持されていることとなる。ここに、ステップＳ１１，Ｓ１２のＹにより保持手段の機能が実行される。
【００４１】
従って、本実施の形態によれば、情報再生装置１の電源が投入されその通電中は検出されて設定された装置地域コードが保持されているので、再生しようとする情報記録媒体２を交換したり、再生動作を行う度に、情報再生装置１の設置位置の検出動作を行わせる必要がなくなる。
【００４２】
本発明の第三の実施の形態を図５及び図６に基づいて説明する。本実施の形態では、構造的には、メモリ５に代えて、不揮発性メモリ１１が設けられている。
【００４３】
本実施の形態では、まず、再生動作が指示された場合、不揮発性メモリ１１に当該情報再生装置１の装置地域コードが設定されているか否かを確認する（Ｓ２１）。電源投入後の最初の再生動作時であれば（電源が投入された際に相当する）、装置地域コードがまだ設定されていないので（Ｓ２２のＮ）、当該情報再生装置１の設置位置の情報を取得し、対応する地域の装置地域コードを設定する（Ｓ２３）。これにより、装置地域コードはまず電源が投入された際に設定されることとなる。このステップ２３の処理内容自体は、前述した図２のステップＳ１〜Ｓ３の処理に相当する。設定された装置地域コードはその記憶処理を行った時間データとともに不揮発性メモリ１１に記憶される（Ｓ２４）。これにより、所定時間を計数するタイマをスタートさせるとともに、そのまま、ステップＳ４以降の処理に移行し、地域コードの一致・不一致に応じて今回の情報記録媒体２に対する再生動作が許可又は禁止される。
【００４４】
その後、電源投入から２回目以降の再生動作時であれば、装置地域コードが既に設定されて不揮発性メモリ１１に保持されているので（Ｓ２１，Ｓ２２のＹ）、その記憶処理時から所定時間が経過しているか否かをチェックする（Ｓ２５）。ここに、この“所定時間”としては、当該情報再生装置１が仮に移動するようなことがあっても同一の地域コードの地域内に存在し得るものとして想定して予め設定された比較的長い時間である。
【００４５】
所定時間が経過していなければ（Ｓ２５のＮ）、不揮発性メモリ１１に保持されている装置地域コードをその情報再生装置１の装置地域コードとして其のまま設定し（Ｓ２６）、ステップＳ４以降の処理に移行し、地域コードの一致・不一致に応じて今回の情報記録媒体２に対する再生動作が許可又は禁止される。
【００４６】
一方、所定時間が経過している場合には（Ｓ２５のＹ）、当該情報再生装置１が地域的に移動している可能性があるので、当該情報再生装置１の設置位置の情報を再度取得し、対応する地域の装置地域コードを設定する（Ｓ２３）。これにより、装置地域コードは所定時間が経過する毎に更新設定されることとなる。このステップＳ２３の処理が更新処理又は位置更新処理手段及びコード更新処理手段の機能として実行される。このステップ２３の処理内容自体は、前述した図２のステップＳ１〜Ｓ３の処理に相当する。更新設定された装置地域コードはその記憶処理を行った時間データとともに不揮発性メモリ１１に記憶される（Ｓ２４）。これにより、所定時間を計数するタイマをスタートさせるとともに、そのまま、ステップＳ４以降の処理に移行し、地域コードの一致・不一致に応じて今回の情報記録媒体２に対する再生動作が許可又は禁止される。
【００４７】
従って、本実施の形態によれば、予め設定された比較的長い所定時間の間は設定された装置地域コードが保持されているので、電源投入毎に情報再生装置１の位置検出を行わせる必要がなくなる。
【００４８】
本発明の第四の実施の形態を図７及び図８に基づいて説明する。本実施の形態では、情報再生装置１にこの情報再生装置１自身の振動の有無を検出する振動検出手段としての振動検出部１２が設けられている。この振動検出部１２による振動検出は、主に、情報再生装置１が電源オフ状態で或る設置位置から他の地域に移動されることにより生ずる振動検出を意味する。
【００４９】
このような構成において、本実施の形態の場合も、基本的には、図６に示した第三の実施の形態の場合と同様にデータ再生規制処理が行われるが、装置地域コードが設定されている状態で所定時間が経過していない場合であっても（Ｓ２５のＮ）、振動検出部１２により振動が検出されているかを否かによりチェックする（Ｓ２７）。これにより、所定時間が経過していない状況下であっても、電源オフの間に当該情報再生装置１が移動されたか否かがチェックされる。
【００５０】
振動が検出されていなければ（Ｓ２７のＮ）、不揮発性メモリ１１に保持されている装置地域コードをその情報再生装置１の装置地域コードとして其のまま設定し（Ｓ２６）、ステップＳ４以降の処理に移行し、地域コードの一致・不一致に応じて今回の情報記録媒体２に対する再生動作が許可又は禁止される。
【００５１】
一方、振動が検出された場合には（Ｓ２７のＹ）、当該情報再生装置１が地域的に他の地域コードの地域に移動している可能性があるので、当該情報再生装置１の設置位置の情報を取得し直し、その結果によって対応する地域の装置地域コードを設定し直す（Ｓ２３）。これにより、装置地域コードは振動が検出される毎に設定し直されることとなる。この場合のステップＳ２３の処理が検出し直し処理又は再検出処理手段及び設定し直し処理又はコード再設定処理手段の機能として実行される。このステップ２３の処理内容自体は、前述した図２のステップＳ１〜Ｓ３の処理に相当する。更新設定された装置地域コードはその記憶処理を行った時間データとともに不揮発性メモリ１１に記憶される（Ｓ２４）。これにより、所定時間を計数するタイマをスタートさせるとともに、そのまま、ステップＳ４以降の処理に移行し、地域コードの一致・不一致に応じて今回の情報記録媒体２に対する再生動作が許可又は禁止される。
【００５２】
従って、所定時間に亘って装置地域コードを不揮発性メモリ１１に保持させた場合において、その所定時間内に情報再生装置１を異なる装置地域コードの地域に移動させたときにはその存在位置と設定されている装置地域コードとが一致しなくなるが、本実施の形態によれば、情報再生装置１の移動に際しては振動が伴うことからこの振動を検出した場合には情報再生装置１に移動があったものと見做してその位置検出、装置地域コードの設定をし直すことで、情報再生装置１の移動があっても正しい装置地域コードを設定でき、地域コードによる再生制限の厳密性を維持できる。
【００５３】
【発明の効果】
請求項１記載の発明のデータ再生規制方法によれば、地域コードは情報記録媒体の再生に関して地域的制限を加えるためのもので、データ再生装置自体が問題ではなく、再生しようとしているデータ再生装置が設置されている位置（地域）が問題である点に着目し、データ再生装置自身には装置地域コードを予め設定しておかず、位置検出手段によりデータ再生装置が現実に存在する位置を検出してその位置に対応する装置地域コードを設定することで、再生しようとしているデータ再生装置に関する装置地域コードの設定が適正となり、地域コードによる再生制限を厳密に行わせることができ、同時に、データ再生装置の製造時に地域毎或いは出荷先毎に装置地域コードを設定する必要がなくなり、何れの地域に対しても適用可能となる。また、請求項１記載の発明によれば、所定時間の間は設定された装置地域コードが保持されているので、電源投入毎にデータ再生装置の位置検出を行わせる必要がなくなる。また、請求項１記載の発明によれば、所定時間に亘って装置地域コードを不揮発性メモリに保持させた場合において、その所定時間内にデータ再生装置を異なる装置地域コードの地域に移動させたときにはその存在位置と設定されている装置地域コードとが一致しなくなるが、データ再生装置の移動に際しては振動が伴うことからこの振動を検出した場合にはデータ再生装置に移動があったものと見做してその位置検出、装置地域コードの設定をし直すことで、データ再生装置の移動があっても正しい装置地域コードを設定でき、地域コードによる再生制限の厳密性を維持できる。
【００５４】
請求項２記載の発明によれば、請求項１記載のデータ再生規制方法において、ＧＰＳを利用することによりデータ再生装置の位置を正確に検出することができ、装置地域コードの設定精度が向上する。
【００５５】
請求項３記載の発明によれば、請求項１又は２記載のデータ再生規制方法において、データ再生装置の電源が投入されその通電中は設定された装置地域コードが保持されているので、再生しようとする情報記録媒体を交換したり、再生動作を行う度に、データ再生装置の位置検出を行わせる必要がなくなる。
【００５８】
請求項４記載の発明のデータ再生装置によれば、地域コードは情報記録媒体の再生に関して地域的制限を加えるためのもので、データ再生装置自体が問題ではなく、再生しようとしているデータ再生装置が設置されている位置（地域）が問題である点に着目し、データ再生装置自身には装置地域コードを予め設定しておかず、位置検出手段により当該データ再生装置が現実に存在する位置を検出してその位置に対応する装置地域コードを設定することで、再生しようとしているデータ再生装置に関する装置地域コードの設定が適正となり、地域コードによる再生制限を厳密に行わせることができる。同時に、データ再生装置自体の製造時に地域毎或いは出荷先毎に装置地域コードを設定する必要がなくなり、何れの地域に対しても適用可能となる。また、請求項４記載の発明によれば、所定時間の間は設定された装置地域コードが保持されているので、電源投入毎にデータ再生装置の位置検出を行わせる必要がなくなる。また、請求項４記載の発明によれば、所定時間に亘って装置地域コードを不揮発性メモリに保持させた場合において、その所定時間内にデータ再生装置を異なる装置地域コードの地域に移動させたときにはその存在位置と設定されている装置地域コードとが一致しなくなるが、データ再生装置の移動に際しては振動が伴うことからこの振動を検出した場合にはデータ再生装置に移動があったものと見做してその位置検出、装置地域コードの設定をし直すことで、データ再生装置の移動があっても正しい装置地域コードを設定でき、地域コードによる再生制限の厳密性を維持できる。
【００５９】
請求項５記載の発明によれば、請求項４記載のデータ再生装置において、ＧＰＳを利用することによりデータ再生装置の位置を正確に検出することができ、装置地域コードの設定精度が向上する。
【００６０】
請求項６記載の発明によれば、請求項４又は５記載のデータ再生装置において、データ再生装置の電源が投入されその通電中は設定された装置地域コードが保持手段により保持されているので、再生しようとする情報記録媒体を交換したり、再生動作を行う度に、データ再生装置の位置検出を行わせる必要がなくなる。
【図面の簡単な説明】
【図１】本発明の第一の実施の形態の情報再生装置の概略構成を示すブロック図である。
【図２】そのデータ再生規制制御例を示すフローチャートである。
【図３】変形例の情報再生装置の概略構成を示すブロック図である。
【図４】本発明の第ニの実施の形態のデータ再生規制制御例を示すフローチャートである。
【図５】本発明の第三の実施の形態の情報再生装置の概略構成を示すブロック図である。
【図６】そのデータ再生規制制御例を示すフローチャートである。
【図７】本発明の第四の実施の形態の情報再生装置の概略構成を示すブロック図である。
【図８】そのデータ再生規制制御例を示すフローチャートである。
【符号の説明】
１      データ再生装置
２      情報記録媒体
６      ＧＰＳ受信機
７      ＧＰＳ
１１      不揮発性メモリ
１２      振動検出手段
【図１】
0003938827.tif 000002
【図２】
0003938827.tif 000003
【図３】
0003938827.tif 000004
【図４】
0003938827.tif 000005
【図５】
0003938827.tif 000006
【図６】
0003938827.tif 000007
【図７】
0003938827.tif 000008
【図８】
0003938827.tif 000009